(57)【要約】【課題】デザイン性を向上させた収容体を提供する。【解決手段】トップ層１２と、色、表面加工状態、または色及び表面加工状態以外が該トップ層１２と同一構成のアンダー層１４とが一体に積層された積層シート２２から構成され、トップ層１２とアンダー層１４とのいずれか一方が表面を、いずれか他方が裏面を構成し、トップ層１２とアンダー層１４とがＬ*ａ*ｂ*表色系で彩度が３０以上異なる色で着色されているか、またはトップ層１２とアンダー層１４とがＬ*ａ*ｂ*表色系で色度指数ａ*若しくは色度指数ｂ*が６０以上異なる色で着色されているか、またはアンダー層１４がＬ*ａ*ｂ*表色系で彩度が３０以上の色で着色されている。【選択図】図１
0003215136.tif 000002
【実用新案登録請求の範囲】
【請求項１】
トップ層と、色、表面加工状態、または色及び表面加工状態以外が該トップ層と同一構成のアンダー層とが一体に積層された積層シートから構成され、
トップ層とアンダー層とのいずれか一方が表面を、いずれか他方が裏面を構成し、
トップ層とアンダー層とがＬ*ａ*ｂ*表色系で彩度が３０以上異なる色で着色されているか、またはトップ層とアンダー層とがＬ*ａ*ｂ*表色系で色度指数ａ*若しくは色度指数ｂ*が６０以上異なる色で着色されているか、またはアンダー層がＬ*ａ*ｂ*表色系で彩度が３０以上の色で着色されていることを特徴とする収容体。
【請求項２】
前記トップ層の色と前記アンダー層の色とが、Ｌ*ａ*ｂ*表色系でその明度が３０以上異なることを特徴とする請求項１記載の収容体。
【請求項３】
前記トップ層及び前記アンダー層のどちらの層も収容体の表面として使用可能であることを特徴とする請求項１または請求項２記載の収容体。
【考案の詳細な説明】
【技術分野】
【０００１】
本考案は、紙葉束や雑貨、文房具等の被収容物を被覆、収容、及び載置する等して収容可能な、装丁カバーやポーチ、トレイといった収容体に関する。
【背景技術】
【０００２】
従来、この種の収容体として、書籍のカバー、バインダー、手帳若しくはダイアリの表紙等に使用される装丁カバーがある。装丁カバーには、トップ層と発泡層とからなる積層シートで構成される装丁カバーが知られている。この積層シートの場合、一般的にはトップ層が装丁カバーの表面として、発泡層が装丁カバーの裏面として使用され、発泡層は裏面であるために、目立たないような色で着色されることが常識となっている。一般的に、トップ層は黒又はベージュ系の色が多く使用されるので、発泡層も同色の黒又はベージュ系か、トップ層が黒又はベージュ系以外の色に着色される場合には、発泡層も同一の色か又は類似の色相の色に着色される。
【考案の概要】
【考案が解決しようとする課題】
【０００３】
しかしながら、従来のトップ層と発泡層とからなる積層シートで構成される収容体では、上述の通り裏面となる発泡層が目立たない色となっているため、デザイン性に乏しいという課題がある。
【０００４】
デザイン性を向上させるために裏面の発泡層にグラビア印刷を施すことが考えられるが、色ムラが発生し、外観が悪くなるとともに、製造工程数が増えるため、製造コストが高くなるという課題がある。
【０００５】
本考案は、かかる課題に鑑みなされたもので、製造コストを上げることなく、デザイン性を向上させた収容体を提供することをその目的とする。
【課題を解決するための手段】
【０００６】
上記目的を達成するために、本実施形態に係る考案は、トップ層と、色、表面加工状態、または色及び表面加工状態以外が該トップ層と同一構成のアンダー層とが一体に積層された積層シートから構成され、トップ層とアンダー層とのいずれか一方が表面を、いずれか他方が裏面を構成し、トップ層とアンダー層とがＬ*ａ*ｂ*表色系で彩度が３０以上異なる色で着色されているか、またはトップ層とアンダー層とがＬ*ａ*ｂ*表色系で色度指数ａ*若しくは色度指数ｂ*が６０以上異なる色で着色されているか、またはアンダー層がＬ*ａ*ｂ*表色系で彩度が３０以上の色で着色されていることを特徴とする。
【考案の効果】
【０００７】
本考案によれば、トップ層と、色または表面加工状態以外が該トップ層と同一構成のアンダー層とがＬ*ａ*ｂ*表色系で彩度が３０以上異なる色で着色されているか、またはトップ層とアンダー層とがＬ*ａ*ｂ*表色系で色度指数ａ*若しくは色度指数ｂ*が６０以上異なる色で着色されているか、またはアンダー層がＬ*ａ*ｂ*表色系で彩度が３０以上の色で着色されているために、アンダー層自体を目立たせて、アンダー層を裏面として用いた場合でも裏面にアクセントを持たせてデザイン性を向上させることができる。
【０００８】
また、アンダー層にデザイン性が付与されているために、トップ層及びアンダー層のいずれの層も表面として使用することができる。よって、収容体をリバーシブルとすることも可能である。
【図面の簡単な説明】
【０００９】
【図１】本考案の実施形態に係る装丁カバーの斜視図である。
【図２】図１の装丁カバーを展開して裏面側から見た斜視図である。
【図３】（ａ）は本考案の実施形態に係る積層シートを構成するためのトップ層とアンダー層とを貼り合わせる前の状態を示す断面図、（ｂ）はそれらを貼り合わせた後の積層体の状態を示す断面図である。
【図４】Ｌ*ａ*ｂ*表色系の色度指数、彩度と明度との関係を表す説明図である。
【図５】（ａ）は応用例として本考案の実施形態に係る積層シートにより作製したポーチの正面図であり、（ｂ）はその背面図であり、（ｃ）はポーチを開けた状態の正面図である。
【図６】（ａ）は応用例として本考案の実施形態に係る積層シートにより作製したトレイを展開した状態を示す平面図であり、（ｂ）はスナップボタンを留めてトレイを箱状にした状態を示す平面図であり、（ｃ）はその側面図である。
【考案を実施するための形態】
【００１０】
以下、図面を用いて本考案の実施の形態を説明する。本考案の実施形態においては、収容体として手帳やダイアリのカバー、ノートカバー、ブックカバー等の装丁カバーを例にとり説明する。
図１及び図２は本考案の実施形態に係る装丁カバーの斜視図である。
【００１１】
（装丁カバーの構成）
装丁カバー１０はトップ層１２とアンダー層１４からなる一枚の積層シート２２から構成されており、トップ層１２が装丁カバー１０の表面を、アンダー層１４が装丁カバー１０の裏面をそれぞれ構成している。図２に示すように、裏面の両端部には透明シートが高周波ウエルダにより溶着されて、袖ポケット１６を構成している。
【００１２】
トップ層１２及びアンダー層１４は、ビニル系、オレフィン系プラスチック、または合成樹脂等のプラスチック材料を主原料として成形されるもので、含有される顔料等の着色剤によってそれぞれ着色されており、アンダー層１４の色は、トップ層１２の色とＬ*ａ*ｂ*表色系（図４参照）で彩度（√((ａ*）2＋（ｂ*）2)）が３０以上異なるか、またはトップ層の色とＬ*ａ*ｂ*表色系で色度指数ａ*若しくはｂ*が６０以上異なる色で着色されているか、またはＬ*ａ*ｂ*表色系で彩度が３０以上の色で着色されている。
【００１３】
さらに、トップ層１２の色とアンダー層１４の色とが、Ｌ*ａ*ｂ*表色系でその明度（Ｌ*）が３０以上異なるとよい。
【００１４】
例えば、トップ層１２を黒色に着色した場合、アンダー層１４は、彩度をトップ層１２と３０以上異ならせることによりまたは彩度を３０以上とすることにより、黒色やベージュ色以外の色となり、トップ層１２と比較して鮮やかな色にすることができる。
【００１５】
また、例えば、トップ層１２を黒色に着色した場合、アンダー層１４は、明度をトップ層１２と３０以上異ならせることにより、黒色以外の明るい色にすることができる。
【００１６】
また、例えば、トップ層１２の色とアンダー層１４の色の色度指数ａ*若しくは色度指数ｂ*を６０以上異ならせることにより、トップ層とアンダー層との色の組み合わせとして、緑と赤、赤と緑、黄と青、青と黄といった斬新な組み合わせを選択することができる。
【００１７】
トップ層１２の厚みは０．１〜０．３ｍｍ、好適には０．１５ｍｍである。トップ層１２には、主原料のプラスチック材料の他、可塑剤、充填剤、安定剤、着色剤が適宜配合され、着色剤の配合比率は、２質量％〜３質量％とするとよい。なお、適宜トップ層１２に表面処理を施してもよい。
【００１８】
一方、本実施形態に係るアンダー層１４は、配合されている着色剤が異なる、即ち色が異なる以外、及び／または、表面処理を施すことによる表面の加工状態（表面加工状態）が異なる以外、トップ層１２と同一構成を有するものであり、換言すればトップ層１２とは色、表面格好状態、または色及び表面加工状態が異なるトップ層と言える。アンダー層１４の表面加工を未処理として表面処理を施したトップ層１２との差別化を図ることでデザイン性を向上させるようにしてもよく、当然その逆、またはアンダー層１４にもトップ層１２と同一または異なる表面処理を施してもよい。アンダー層１４の厚みはトップ層１２と同様に０．１〜０．３ｍｍ、好適には０．１５ｍｍである。また、アンダー層１４には、トップ層１２と同一の主原料のプラスチック材料の他、トップ層１２と同一の可塑剤、充填剤、安定剤と、トップ層１２と異なる着色剤とが適宜配合され、着色剤の配合比率は、２質量％〜３質量％とするとよい。トップ層１２及びアンダー層１４が同一構成、換言すれば略同一樹脂であるため、熱溶着といった簡単な手法で張り合わせることが可能となる。
【００１９】
（装丁カバーの作製方法）
以下に、本実施形態に係る装丁カバー１０の作製方法を説明する。図３（ａ）は本考案の実施形態に係る積層シートを構成するためのトップ層とアンダー層とを貼り合わせる前の状態を示す断面図、図３（ｂ）はそれらを貼り合わせた後の積層体の状態を示す断面図である。
【００２０】
図３に示されるように、別体となっているトップ層１２とアンダー層１４とを既存の固着方法（例えば熱溶着、超音波溶着、高周波加工、ウエルダ加工、または接着剤による接着等）、特に好ましくは熱圧着により貼り合わせることにより積層シート２２を形成する。この時、トップ層１２及び／またはアンダー層１４の表面に、印刷、シボ加工及び表面処理剤などを施し、予め表面を加工しておいてもよい。こうして、２枚のトップ層が貼り合わされることにより表裏両面の感触を略同一であり、色がかなり異なるものとなった１枚の積層シート２２を形成することができ、装丁カバーのデザイン性を向上させることができる。これを装丁カバー１０の形状に切り抜くことにより、装丁カバー１０を作製することができる。
【００２１】
図１に示すように、トップ層１２が装丁カバー１０の表面を、アンダー層１４が装丁カバー１０の裏面を構成している場合、裏面は、側方等からまたは装丁カバーを開いたときなど使用中に僅かに見えることになるが、裏面を構成するアンダー層１４に彩度または明度の高いものを配色することで、アクセントを持たせてデザイン性を向上させることができる。
【００２２】
また、アンダー層１４のデザイン性が向上したことにより、従来、専ら装丁カバーの裏面として使用されてきたアンダー層１４を装丁カバー１０の表面として使用することも可能になる。即ち、前記トップ層１２及び前記アンダー層１４のどちらかを選択的に装丁カバー１０の表面とすることにより同じ積層シート２２から２種類の製品を製造することができる。
【００２３】
または、１つの積層シート２２から構成される装丁カバーをリバーシブル製品とすることもできる。リバーシブル製品として使用する場合には、トップ層１２及びアンダー層１４の両方に透明シートからなる袖ポケット１６を設けてもよい。
【００２４】
また、本実施形態に係る積層シート２２を用いて装丁カバー１０以外の収容体を作製してもよいことは言うまでもない。このような収容体としては、図５（ａ）〜（ｃ）に示されるようなポーチ１０’が挙げられる。このポーチ１０’は、アンダー層１４側に透明シートからなるポケット１６’が設けられ、積層シート２２の一端部がアンダー層１４側に折り曲げられ、当該端部とポケット１６’とに設けられたスナップボタン３２で開閉可能にされたものである。このようなポーチ１０’は、開けた状態では正面（ポケット１６’）側からアンダー層１４が透けて見え、したがって正面から見た色調と、背面側から見た色調とが異なっており、閉めた状態では正面において、スナップボタン３２周囲の色調と、ポケット１６’から透けて見えるアンダー層１４の色調とが異なっており、高いデザイン性を有している。
【００２５】
一方、収容体を図６（ａ）及び〜（ｃ）に示されるようなトレイ１０’’としてもよい。このトレイ１０’’は、積層シート２２が略矩形に形成されてその角隅部にスナップボタン３２がそれぞれ設けられており、当該スナップボタン３２を留めることでトレイ形状となるようになっている。したがって、トレイ１０’’は上方からアンダー層１４が、側方からトップ層１２が、それぞれ視認できるため、高いデザイン性を有している。
【００２６】
本実施形態においては、収容体として装丁カバー１０、ポーチ１０’、及びトレイ１０’’を例示したが、これらに限定されるものではなく、書類、カード等のシート状物や雑貨、化粧品、文房具といった小物類等、被収容物を収容可能なものであればよく、積層シート２２により、即ちシート状物により作製可能なものであればよい。例えば、バインダー、ホルダー、カレンダーホルダー、クリアポケット、小物ケース、ボックスや、ネームホルダー、カレンダーケース、カードケース等のインジェクション成型品等が挙げられる。
【００２７】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである
【符号の説明】
【００２８】
１０  装丁カバー（収容体）
１０’  ポーチ（収容体）
１０’’  トレイ（収容体）
１２  トップ層
１４  アンダー層
２２  積層シート
【図１】
0003215136.tif 000003
【図２】
0003215136.tif 000004
【図３】
0003215136.tif 000005
【図４】
0003215136.tif 000006
【図５】
0003215136.tif 000007
【図６】
0003215136.tif 000008